(57)【要約】      （修正有）【課題】適当な段数で設置される陳列棚は少なくも３つの陳列棚部材からなるアラウンド型ショーケースにおいて、互に隣接する陳列棚部材の前面のプライスプレートレールの端部の突き合わせ部に、部品点数を低減し、容易にコーナー具を取り付けることができ、しかも陳列棚が傾斜した場合も、共通部品にできるアラウンド型ショーケースを提供する。【解決手段】互に隣接する陳列棚部材の前面のプライスプレートレール５の端５ａの突き合わせ部に、隣接するプライスプレートレール５の端５ａ相互に跨るように、材質を軟質材料とするコーナー具１６をプライスプレートレール５の上から被せることで、突き合わせ部の隙間を閉塞した。【選択図】図１
2011244997.tif 000002
【特許請求の範囲】
【請求項１】
前面と両側面の少なくも３面が開口し、適当な段数で設置される陳列棚は少なくも３つの陳列棚部材からなるアラウンド型ショーケースにおいて、互に隣接する陳列棚部材の前面のプライスプレートレールの端の突き合わせ部に、隣接するプライスプレートレールの端相互に跨るように、材質を軟質材料とするコーナー具をプライスプレートレールの上から被せることで、突き合わせ部の隙間を閉塞したことを特徴とするアラウンド型ショーケース。
【請求項２】
コーナー具は上部掛け部と下部掛け部とを有し、上部掛け部を陳列棚とプライスプレートレールの間の棚ガ−ドを差し込める溝に差込み、下部掛け部はプライスプレートレール下端の裏面に引っ掛けて固定する請求項１記載のアラウンド型ショーケース。
【発明の詳細な説明】
【技術分野】
【０００１】
本発明は、例えば売場の中央に配置され得るように少なくも３面が、もしくは周囲４面が開口面になっているアラウンド型のショーケースに関し、特にそのようなショーケースの陳列棚の前面のプライスプレートレールの端部処理構造に関するものである。
【背景技術】
【０００２】
従来、この種のアラウンド型ショーケースとして、例えば、図２に示すものが知られている。
【０００３】
図中１は最下部の商品陳列区域を構成するベース部であり、天井部２が支柱３の頂部に設置される。そしてベ−ス部１と天井部２の間に、多くの場合複数段に陳列棚４が配置される。
【０００４】
図示のように、この種のショーケースは前面とその両側の側面の少なくも３面が開口面になっており、従って陳列棚の各段は少なくも３つの陳列棚部材、即ち前面側の棚部材とその両側の棚部材を有する。
【０００５】
陳列棚４の上には食料品などの商品が載置されることは云うまでもなく、そのため陳列棚の前端に商品の値札などを付けるプライスプレートレール５および商品の落下を防ぐ棚ガ−ド（コロビ止め）６が設置される。
【０００６】
プライスプレートレール５は、陳列棚４上に載置された商品の品名・価格等を表示する表示具であるプライスプレートの上下端を保持する上下爪部５ｂを形成した形材である。
【０００７】
通常、プライスプレートレール５は差込部５ｅにフランジ４ａを差込み取り付けられ、図３および図４に示すように、陳列棚４の前端面とプライスプレートレール５の間に溝１５が形成され、棚ガ−ド（コロビ止め）６はここに挾み込まれる。図中７は照明具としての蛍光灯である。
【０００８】
各段の陳列棚はその棚部材が互に分離しており、従って陳列棚４のコーナー部分、即ちプライスプレートレール５相互の突き合わせ部に隙間が生じ、そのため安定性が悪く、コーナー部分において一体感がなく、さらに見栄えが悪い等の問題点がある。
【０００９】
そのため、このような隙間塞ぎとして、図５、図６に示すようなコーナー金具８が使用される。このコーナー金具８は金属製の取付板８ａの先端に硬質合成樹脂製のくの字をなすアングル状壁板８ｂを立ち上げてなる。
【００１０】
コーナー金具８は、取付板８ａにより支承するアングル状壁板８ｂをプライスプレートレール５の端５ａに突き当てることで、プライスプレートレール５相互の突き合わせ部に生じる隙間を閉塞する。
【００１１】
下記特許文献はかかる隙間を塞ぐ他の方法を提示すもので、外側コーナー部に当てられる固定部材１０が用いられる。
【特許文献１】実開平５−６０３５７号公報
【００１２】
この固定部材１０は図６に示すように互いに直角に接合した一対の部片からなるＬ字形もしくは概して直角状の部材として構成され、その各部にねじ孔１１が形成され、図８に示すようにねじ１２により該ねじ孔を通してプライスプレートレール５にねじ止めされる。固定部材１０はその角部を中心に対称に形成される。
【００１３】
また、図８、図９に示すように、固定部材１０にはその頂部および底部に沿って内側に水平に突出する突出部１３、１４が備えられるのが好ましく、この固定部材１０を所定位置に取り付けるとそれらの突出部１３、１４でプライスプレートレールを挾持するように構成される。
【００１４】
なお、図９において、９はプライスプレートレール５を取り付けるための取付板であり、９ａはその取付ビスである。
【００１５】
固定部材１０は棚部材の接合部の外側コーナー部に装着され且つねじ１２により一方の部片はそのねじ孔１１によりその側の棚部材、例えばプライスプレートレール５にねじ止めされ、且つ他方の部片は同じくその側のねじ孔１１によりその側の棚部材、プライスプレートレール５にねじ止めされる。各プライスプレートレールはそれぞれの棚部材に固定されているので、互に接合する棚部材は固定部材１０によって連結、固定される。
【発明の開示】
【発明が解決しようとする課題】
【００１６】
前記図５、図６に示すようなコーナー金具８の使用では、コーナー金具８はプライスプレートレール５の端５ａと突き当てとなっており、プライスプレートレール５の取付状態により隙間が生じると意匠性を損ない、プライスプレートレール５の端面が露出しケガの恐れも懸念されるという欠点があった。
【００１７】
また、陳列棚４に傾斜を設ける場合その傾斜専用にコーナー金具８を用意する必要があり共通性がなかった。
【００１８】
一方、特許文献１の固定部材１０ではプライスプレートレール５はこの固定部材１０にねじ止めされるので、プライスプレートレール５の取付状態により隙間が生じるおそれは少ないが、ねじ孔１１の合わせ作業が面倒である。
【００１９】
さらに、この場合も、陳列棚４に傾斜を設ける場合その傾斜専用に固定部材１０を用意する必要があり共通性がなかった。
【００２０】
本発明は前記不都合を解消し、適当な段数で設置される陳列棚は少なくも３つの陳列棚部材からなるアラウンド型ショーケースにおいて、互に隣接する陳列棚部材の前面のプライスプレートレールの端部の突き合わせ部に、部品点数を低減し、容易にコーナー具を取り付けることができ、しかも陳列棚が傾斜した場合も、共通部品にできるアラウンド型ショーケースを提供することにある。
【課題を解決するための手段】
【００２１】
前記目的を達成するため、請求項１記載の本発明は、前面と両側面の少なくも３面が開口し、適当な段数で設置される陳列棚は少なくも３つの陳列棚部材からなるアラウンド型ショーケースにおいて、互に隣接する陳列棚部材の前面のプライスプレートレールの端の突き合わせ部に、隣接するプライスプレートレールの端相互に跨るようなコーナー具をプライスプレートレールの上から被せることで、突き合わせ部の隙間を閉塞したことを要旨とするものである。
【００２２】
請求項１記載の本発明によれば、コーナー具の材質を軟質材料とし、プライスプレートレールの上から被せることで端面の露出を解消し、陳列棚が傾斜した時も軟質材料の特性を生かし共通部品にすることができる。また、プライスプレートレールに被せる構造により、従来使用していた取付板が無くなり部品点数削減の効果を期待できる。
【００２３】
請求項２記載の本発明は、コーナー具は上部掛け部と下部掛け部とを有し、上部掛け部を陳列棚とプライスプレートレールの間の棚ガ−ド（コロビ止め）を差し込める溝に差込み、下部掛け部はプライスプレートレール下端の裏面に引っ掛けて固定することを要旨とするものである。
【００２４】
請求項２記載の本発明によれば、前記請求項１記載の本発明作用に加えて、軟質材料によるコーナー具をプライスプレートレールの上から被せる場合に、ビス止めすることなく、上部掛け部と下部掛け部とを用いて、簡単かつ迅速に固定できる。
【発明の効果】
【００２５】
以上述べたように本発明のアラウンド型ショーケースは、適当な段数で設置される陳列棚は少なくも３つの陳列棚部材からなるアラウンド型ショーケースにおいて、互に隣接する陳列棚部材の前面のプライスプレートレールの端の突き合わせ部に、部品点数を低減し、容易にコーナー具を取り付けることができ、しかも陳列棚が傾斜した場合も、共通部品にできる。
【発明を実施するための最良の形態】
【００２６】
以下、図面について本発明の実施形態を詳細に説明する。図１は本発明のアラウンド型ショーケースの１実施形態を示す要部の斜視図で、アラウンド型ショーケースの全体については、前記図２、図３で示した通りである。
【００２７】
アラウンド型ショーケースは前面と両側面の少なくも３面が開口し、適当な段数で設置される陳列棚は少なくも３つの陳列棚部材からなるもので、図中４は陳列棚で、図３、図４にも示すように陳列棚４とプライスプレートレール５の間には、棚ガ−ド（コロビ止め）６を差し込める溝があり、ここに棚ガ−ド（コロビ止め）６を差し込んで設置する。
【００２８】
互に隣接する陳列棚部材の前面のプライスプレートレール５の端５ａの突き合わせ部には隙間αがあるが、本発明はこの隙間αを閉塞するものとして、材質を軟質材料とするコーナー具１６を使用する。
【００２９】
コーナー具１６を形成する軟質材料としては、ポリプロビレン（Ｐ．Ｐ．）等の軟質合成樹脂、もしくは、合成ゴムで軟質なものなどが採択できるが、形状はコーナーを形成する本体壁の上端と下端にフランジ状の上部掛け部１６ａと下部掛け部（図示せず）とを有する。
【００３０】
このコーナー具１６を隣接するプライスプレートレール５の端５ａの相互に跨るように、プライスプレートレール５の上から被せる。
【００３１】
また、溝１５のプライスプレートレール５の上端面５ｃにコーナー具１６の上部掛け部１６ａを差込み、プライスプレートレール５の下端５ｄの裏面にコーナー具１６の下部の下部掛け部を引っ掛けて固定する。
【００３２】
なお、陳列棚４が傾斜した場合も、同様の取り付け方でコーナー具１６を固定することができる。
【図面の簡単な説明】
【００３３】
【図１】本発明のアラウンド型ショーケースの１実施形態を示す要部の斜視図である。
【図２】アラウンド型ショーケースの概要を示す正面図である。
【図３】アラウンド型ショーケースの陳列棚の縦断側面図である。
【図４】陳列棚とプライスプレートレールの結合部の縦断側面図である。
【図５】従来例を示す要部の分解斜視図である。
【図６】従来例を示す要部の組立斜視図である。
【図７】他の従来例を示すもので、陳列棚部材相互の接合に用いられる固定部材の一例を示す斜視図である。
【図８】図６のＡ−Ａ線断面図である。
【図９】他の従来例を示すもので、陳列棚のコーナー部分を示す断面図である。
【符号の説明】
【００３４】
１  ベース部                      ２  天井部
３  支柱                          ４  陳列棚
５  プライスプレートレール        ５ａ  端
５ｂ  上下爪部                    ５ｃ  上端面
５ｄ  下端                        ５ｅ  差込部
６  棚ガ−ド（コロビ止め）
７  蛍光灯                        ８  コーナー金具
８ａ  取付板                      ８ｂ  アングル状壁板
９  取付板                        ９ａ  取付ビス
１０  固定部材                    １
１  ねじ孔
１２  ねじ                        １３、１４  突出部
１５  溝                          １６  コーナー具
１６ａ  上部掛け部
【図１】
2011244997.tif 000003
【図２】
2011244997.tif 000004
【図３】
2011244997.tif 000005
【図４】
2011244997.tif 000006
【図５】
2011244997.tif 000007
【図６】
2011244997.tif 000008
【図７】
2011244997.tif 000009
【図８】
2011244997.tif 000010
【図９】
2011244997.tif 000011